(57)【要約】      （修正有）【課題】ヘリカルスキャン中断後の適切なアクション候補を操作者に提示するＸ線ＣＴ装置を提供する。【解決手段】Ｘ線ＣＴ装置は、Ｘ線源１１と、Ｘ線検出器１２と、天板３３と、スキャン制御機能４４１と、決定機能４４５と、表示制御機能４４４とを有する。天板３３は、被検体を載置可能である。スキャン制御機能４４１は、Ｘ線源１１、Ｘ線検出器１２、及び天板３３を制御してヘリカルスキャンを実行させると共に、ヘリカルスキャンの中断指示を受け付けると、ヘリカルスキャンを中断させる。決定機能４４５は、ヘリカルスキャンの中断指示を受け付けると、中断指示の時刻、又は、造影剤の注入開始時刻からの経過時間に応じて、中断後のアクション候補を決定する。表示制御機能４４４は、アクション候補を表示部に表示させる。【選択図】図１
2020039382.tif 000002
【特許請求の範囲】
【請求項１】
Ｘ線照射部と、
Ｘ線検出部と、
被検体を載置可能な天板と、
前記Ｘ線照射部、前記Ｘ線検出部、及び前記天板を制御してヘリカルスキャンを実行させると共に、前記ヘリカルスキャンの中断指示を受け付けると、当該ヘリカルスキャンを中断させるスキャン制御部と、
前記ヘリカルスキャンの中断指示を受け付けると、前記中断指示の時刻、又は、造影剤の注入開始時刻からの経過時間に応じて、中断後のアクション候補を決定する決定部と、
前記アクション候補を表示部に表示させる表示制御部と、
を有するＸ線ＣＴ装置。
【請求項２】
前記表示制御部は、前記アクション候補として、前記スキャン制御部によって中断された前記ヘリカルスキャンの継続スキャンと、前記スキャン制御部によって中断された前記ヘリカルスキャンの再スキャンと、前記スキャン制御部によって中断された前記ヘリカルスキャンの次のヘリカルスキャンへのスキップとのいずれかを前記表示部に選択可能なように表示させる、
請求項１に記載のＸ線ＣＴ装置。
【請求項３】
前記ヘリカルスキャンの中断指示を受け付けると、前記スキャン制御部によって中断された前記ヘリカルスキャンの継続スキャンの開始位置を算出する算出部をさらに有し、
前記表示制御部は、前記開始位置を前記表示部に表示させる、
請求項２に記載のＸ線ＣＴ装置。
【請求項４】
前記算出部は、予め設定された距離及び時間の少なくとも一方に基づいて、中断位置からの戻りの距離を算出し、前記中断位置から前記戻りの距離の分だけ戻った位置を、前記継続スキャンの開始位置とする、
請求項３に記載のＸ線ＣＴ装置。
【請求項５】
前記ヘリカルスキャンの中断前に収集された生データに基づいて再構成処理を行って第１のＣＴ画像データを生成すると共に、前記ヘリカルスキャンの前記継続スキャンによって収集された生データに基づいて再構成処理を行って第２のＣＴ画像データを生成し、前記第１及び第２のＣＴ画像データの重複部分を除いたデータを生成する再構成処理部をさらに有する、
請求項３又は４に記載のＸ線ＣＴ装置。
【請求項６】
１つの検査に複数のヘリカルスキャンを含む場合、所定のヘリカルスキャンで中断指示があり前記継続スキャンが実行されたとき、以降のヘリカルスキャンのスキャン範囲を、前記所定のヘリカルスキャンで実行されたスキャン範囲に合わせた範囲として算出する算出部をさらに有する、
請求項２に記載のＸ線ＣＴ装置。
【請求項７】
前記算出部は、選択指示に従って、前記以降のヘリカルスキャンのスキャン範囲を、前記所定のヘリカルスキャンで実行されたスキャン範囲に合わせた範囲として算出する、
請求項６に記載のＸ線ＣＴ装置。
【請求項８】
１つのヘリカルスキャンで複数の中断指示がある場合、２回目以降の中断後のスキャンの開始位置を、前回の中断後のスキャンの開始位置として算出する算出部をさらに有する、
請求項２に記載のＸ線ＣＴ装置。
【請求項９】
前記決定部は、前記経過時間が所定の時間以内か否かを判断し、
前記表示制御部は、前記決定部によって前記所定の時間以内であると判断される場合は、前記継続スキャンを推奨する表示を行う、
請求項２乃至８のうちいずれか１項に記載のＸ線ＣＴ装置。
【請求項１０】
前記決定部は、前記経過時間が所定の時間を超えるか否かを判断し、
前記表示制御部は、前記決定部によって前記所定の時間を超えると判断される場合は、前記再スキャンを推奨する表示を行う、
請求項２乃至９のうちいずれか１項に記載のＸ線ＣＴ装置。
【請求項１１】
前記決定部は、前記ヘリカルスキャンの中断指示を受け付けると、前記経過時間を逐次算出し、
前記表示制御部は、前記経過時間を表示部に逐次表示させる、
請求項２乃至１０のうちいずれか１項に記載のＸ線ＣＴ装置。
【請求項１２】
Ｘ線照射部と、
Ｘ線検出部と、
被検体を載置可能な天板と、
前記Ｘ線照射部、前記Ｘ線検出部、及び前記天板を制御してヘリカルスキャンを実行させると共に、前記ヘリカルスキャンの中断指示を受け付けると、当該ヘリカルスキャンを中断させるスキャン制御部と、
前記ヘリカルスキャンの中断指示を受け付けると、前記スキャン制御部によって中断された前記ヘリカルスキャンの継続スキャンの開始位置を算出する算出部と、
前記開始位置を表示部に表示させる表示制御部と、
を有するＸ線ＣＴ装置。
【請求項１３】
前記算出部は、予め設定された距離及び時間の少なくとも一方に基づいて、中断位置からの戻りの距離を算出し、前記中断位置から前記戻りの距離の分だけ戻った位置を、前記継続スキャンの開始位置とする、
請求項１２に記載のＸ線ＣＴ装置。
【発明の詳細な説明】
【技術分野】
【０００１】
本発明の実施形態は、Ｘ線ＣＴ（Computed Tomography）装置に関する。
【背景技術】
【０００２】
被検体の体内組織が画像化された医用画像データを生成する医用画像診断装置が存在する。医用画像診断装置としては、Ｘ線ＣＴ装置及びＭＲＩ（Magnetic Resonance Imaging）装置等が挙げられる。Ｘ線ＣＴ装置は、被検体にＸ線を照射することでＸ線検出器が検出した検出データを前処理することで生データを生成し、生データに基づいて、被検体のアキシャル断層又は３次元のＣＴ画像データを生成する。
【０００３】
従来のＸ線ＣＴ装置において、検出データを収集するスキャン中に、スキャン対象の患者が動いた場合や、患者が何か訴えている場合等には、スキャンに支障が生じ、又は、技師等の操作者が安全性を確認する必要がある。そのため、操作者が、スキャン中断操作を行い、中断中に患者の状況等を確認した後で、異常が解消されたと判断すると、Ｘ線ＣＴ装置は、再スキャン又は継続スキャンを行う。
【先行技術文献】
【特許文献】
【０００４】
【特許文献１】特開２０１７−２２５６０５号公報
【発明の概要】
【発明が解決しようとする課題】
【０００５】
本発明が解決しようとする課題は、ヘリカルスキャン中断後の適切なアクション候補を操作者に提示することである。
【課題を解決するための手段】
【０００６】
実施形態に係るＸ線ＣＴ装置は、Ｘ線照射部と、Ｘ線検出部と、天板と、スキャン制御部と、決定部と、表示制御部とを有する。天板は、被検体を載置可能である。スキャン制御部は、Ｘ線照射部、Ｘ線検出部、及び天板を制御してヘリカルスキャンを実行させると共に、ヘリカルスキャンの中断指示を受け付けると、当該ヘリカルスキャンを中断させる。決定部は、ヘリカルスキャンの中断指示を受け付けると、中断指示の時刻、又は、造影剤の注入開始時刻からの経過時間に応じて、中断後のアクション候補を決定する。表示制御部は、アクション候補を表示部に表示させる。
【図面の簡単な説明】
【０００７】
【図１】図１は、実施形態に係るＸ線ＣＴ装置の構成を示す概略図。
【図２】図２は、実施形態に係るＸ線ＣＴ装置の機能を示すブロック図。
【図３】図３は、実施形態に係るＸ線ＣＴ装置の動作の一部をフローチャートとして示す図。
【図４】図４は、実施形態に係るＸ線ＣＴ装置の動作の一部をフローチャートとして示す図。
【図５】図５は、実施形態に係るＸ線ＣＴ装置において、逆戻りの距離の算出方法を説明するための図。
【図６】図６は、実施形態に係るＸ線ＣＴ装置において、アクション候補の表示画面の例を示す図。
【図７】図７は、実施形態に係るＸ線ＣＴ装置において、アクション候補の表示画面の例を示す図であって、ヘリカルスキャンの中断からの経過時間の変化を示す図。
【図８】図８は、複数の範囲要素を含むスキャン計画範囲におけるアクション候補を説明するための図。
【発明を実施するための形態】
【０００８】
以下、図面を参照しながら、Ｘ線ＣＴ装置の実施形態について詳細に説明する。
【０００９】
なお、Ｘ線ＣＴ装置によるデータ収集方式には、Ｘ線源とＸ線検出器とが１体として被検体の周囲を回転する回転／回転（Ｒ−Ｒ：Rotate/Rotate）方式や、リング状に多数の検出素子がアレイされ、Ｘ線管のみが被検体の周囲を回転する固定／回転（Ｓ−Ｒ：Stationary/Rotate）方式等の様々な方式がある。いずれの方式でも本発明を適用可能である。以下、実施形態に係るＸ線ＣＴ装置では、現在、主流を占めている第３世代の回転／回転方式を採用する場合を例にとって説明する。
【００１０】
１．実施形態
図１は、実施形態に係るＸ線ＣＴ装置の構成を示す概略図である。図２は、実施形態に係るＸ線ＣＴ装置の機能を示すブロック図である。
【００１１】
図１は、実施形態に係るＸ線ＣＴ装置１を示す。Ｘ線ＣＴ装置１は、架台装置１０、寝台装置３０、及びコンソール装置４０を備える。架台装置１０及び寝台装置３０は、検査室に設置される。架台装置１０は、寝台装置３０に載置された被検体（例えば、患者）Ｐに関するＸ線の検出データ（「純生データ」とも呼ばれる）を取得する。図１において、説明の便宜上、架台装置１０を左側の上下に複数描画しているが、実際の構成としては、架台装置１０は１つである。
【００１２】
コンソール装置４０は、検査室に隣接する制御室に設置される。コンソール装置４０は、複数ビュー分の検出データに対して前処理を施すことで生データを生成し、生データに対して再構成処理を施すことでＣＴ画像データを再構成して表示する。
【００１３】
架台装置１０は、Ｘ線源（例えば、Ｘ線管）１１、Ｘ線検出器１２、回転部（例えば、回転フレーム）１３、Ｘ線高電圧装置１４、制御装置１５、ウェッジ１６、コリメータ１７、データ収集回路（ＤＡＳ：Data Acquisition System）１８を備える。なお、架台装置１０は、架台部の一例である。
【００１４】
Ｘ線管１１は、回転フレーム１３に備えられる。Ｘ線管１１は、Ｘ線高電圧装置１４からの高電圧の印加により、陰極（フィラメント）から陽極（ターゲット）に向けて熱電子を照射することでＸ線を発生する真空管である。例えば、Ｘ線管１１には、回転する陽極に熱電子を照射することでＸ線を発生させる回転陽極型のＸ線管がある。
【００１５】
なお、実施形態においては、一管球型のＸ線ＣＴ装置にも、Ｘ線管とＸ線検出器との複数のペアを回転リングに搭載したいわゆる多管球型のＸ線ＣＴ装置にも適用可能である。また、Ｘ線を発生させるＸ線源は、Ｘ線管１１に限定されるものではない。例えば、Ｘ線管１１に替えて、電子銃から発生した電子ビームを収束させるフォーカスコイル、電磁偏向させる偏向コイル、患者Ｐの半周を囲い偏向した電子ビームが衝突することによってＸ線を発生させるターゲットリングを含む第５世代方式によりＸ線を発生させてもよい。なお、Ｘ線管１１は、Ｘ線照射部の一例である。
【００１６】
Ｘ線検出器１２は、Ｘ線管１１に対向するように回転フレーム１３に備えられる。Ｘ線検出器１２は、Ｘ線管１１から照射されたＸ線を検出し、当該Ｘ線量に対応した検出データを電気信号としてＤＡＳ１８に出力する。Ｘ線検出器１２は、例えば、Ｘ線管の焦点を中心として１つの円弧に沿ってチャネル方向に複数のＸ線検出素子が配列された複数のＸ線検出素子列を有する。Ｘ線検出器１２は、例えば、チャネル方向に複数のＸ線検出素子が配列されたＸ線検出素子列がスライス方向（列方向、ｒｏｗ方向）に複数配列された構造を有する。
【００１７】
また、Ｘ線検出器１２は、例えば、グリッドと、シンチレータアレイと、光センサアレイとを有する間接変換型の検出器である。シンチレータアレイは、複数のシンチレータを有し、シンチレータは入射Ｘ線量に応じた光子量の光を出力するシンチレータ結晶を有する。グリッドは、シンチレータアレイのＸ線入射側の面に配置され、散乱Ｘ線を吸収する機能を有するＸ線遮蔽板を有する。なお、グリッドはコリメータ（１次元コリメータ又は２次元コリメータ）と呼ばれる場合もある。光センサアレイは、シンチレータからの光量に応じた電気信号に変換する機能を有し、例えば、光電子増倍管（フォトマルチプライヤー：ＰＭＴ）等の光センサを有する。
【００１８】
なお、Ｘ線検出器１２は、入射したＸ線を電気信号に変換する半導体素子を有する直接変換型の検出器であっても構わない。また、Ｘ線検出器１２は、Ｘ線検出部の一例である。
【００１９】
回転フレーム１３は、Ｘ線管１１及びＸ線検出器１２を対向支持する。回転フレーム１３は、後述する制御装置１５による制御の下、Ｘ線管１１及びＸ線検出器１２を一体として回転させる円環状のフレームである。なお、回転フレーム１３は、Ｘ線管１１及びＸ線検出器１２に加えて、Ｘ線高電圧装置１４やＤＡＳ１８を更に備えて支持する場合もある。また、回転フレーム１３は、回転部の一例である。
【００２０】
このように、Ｘ線ＣＴ装置１は、Ｘ線管１１とＸ線検出器１２とを対向させて支持する回転フレーム１３を患者Ｐの周りに回転させることで、複数ビュー、即ち、患者Ｐの３６０°分の検出データを収集する。なお、ＣＴ画像データの再構成方式は、３６０°分の検出データを用いるフルスキャン再構成方式には限定されない。例えば、Ｘ線ＣＴ装置１は、半周（１８０°）＋ファン角度分の検出データに基づいてＣＴ画像データを再構成するハーフ再構成方式を採ってもよい。
【００２１】
Ｘ線高電圧装置１４は、回転フレーム１３、又は、回転フレーム１３を回転可能に支持する非回転部分（例えば図示しない固定フレーム）に備えられる。Ｘ線高電圧装置１４は、変圧器（トランス）及び整流器等の電気回路を有する。Ｘ線高電圧装置１４は、後述する制御装置１５による制御の下、Ｘ線管１１に印加する高電圧を発生する機能を有する高電圧発生装置（図示省略）と、後述する制御装置１５による制御の下、Ｘ線管１１が照射するＸ線に応じた出力電圧の制御を行うＸ線制御装置（図示省略）を有する。高電圧発生装置は、変圧器方式であってもよいし、インバータ方式であっても構わない。なお、図１において、説明の便宜上、Ｘ線高電圧装置１４が、Ｘ線管１１に対してｘ軸の正方向の位置に配置されているが、Ｘ線管１１に対してｘ軸の負方向の位置に配置されてもよい。
【００２２】
制御装置１５は、処理回路及びメモリと、モータ及びアクチュエータ等の駆動機構とを有する。処理回路及びメモリの構成については、後述するコンソール装置４０の処理回路４４及びメモリ４１と同等であるので説明を省略する。
【００２３】
制御装置１５は、コンソール装置４０又は架台装置１０に取り付けられた、後述する入力インターフェースからの入力信号を受けて、架台装置１０及び寝台装置３０の動作制御を行う機能を有する。例えば、制御装置１５は、入力信号を受けて回転フレーム１３を回転させる制御や、架台装置１０をチルトさせる制御や、寝台装置３０及び天板３３を動作させる制御を行う。なお、架台装置１０をチルトさせる制御は、架台装置１０に取り付けられた入力インターフェースによって入力される傾斜角度（チルト角度）情報により、制御装置１５がＸ軸方向に平行な軸を中心に回転フレーム１３を回転させることによって実現される。なお、制御装置１５は架台装置１０に設けられてもよいし、コンソール装置４０に設けられてもよい。なお、制御装置１５は、制御部の一例である。
【００２４】
また、制御装置１５は、コンソール装置４０や架台装置１０に取り付けられた、後述する入力インターフェースから入力された撮像条件に基づいて、Ｘ線管１１の回転角度や、後述するウェッジ１６及びコリメータ１７の動作を制御する。
【００２５】
ウェッジ１６は、Ｘ線管１１のＸ線出射側に配置されるように回転フレーム１３に備えられる。ウェッジ１６は、制御装置１５による制御の下、Ｘ線管１１から照射されたＸ線量を調節するためのフィルタである。具体的には、ウェッジ１６は、Ｘ線管１１から患者Ｐに照射されるＸ線が予め定められた分布になるように、Ｘ線管１１から照射されたＸ線を透過して減衰させるフィルタである。例えば、ウェッジ１６（ウェッジフィルタ（Wedge Filter）、ボウタイフィルタ（bow−tie filter）は、所定のターゲット角度や所定の厚みとなるようにアルミニウムを加工したフィルタである。
【００２６】
コリメータ１７は、Ｘ線絞り又はスリットとも呼ばれ、Ｘ線管１１のＸ線出射側に配置されるように回転フレーム１３に備えられる。コリメータ１７は、制御装置１５による制御の下、ウェッジ１６を透過したＸ線の照射範囲を絞り込むための鉛板等であり、複数の鉛板等の組合せによってＸ線の照射開口を形成する。
【００２７】
ＤＡＳ１８は、回転フレーム１３に備えられる。ＤＡＳ１８は、制御装置１５による制御の下、Ｘ線検出器１２の各Ｘ線検出素子から出力される電気信号に対して増幅処理を行う増幅器と、制御装置１５による制御の下、電気信号をデジタル信号に変換するＡ／Ｄ（Analog to Digital）変換器とを有し、増幅及びデジタル変換後の検出データを生成する。ＤＡＳ１８によって生成された、複数ビュー分の検出データは、コンソール装置４０に転送される。
【００２８】
ここで、ＤＡＳ１８によって生成された検出データは、回転フレーム１３に設けられた発光ダイオード（ＬＥＤ）を有する送信機から光通信によって架台装置１０の固定フレームに設けられたフォトダイオードを有する受信機に送信され、コンソール装置４０に転送される。なお、回転フレーム１３から架台装置１０の固定フレームへの検出データの送信方法は、前述の光通信に限らず、非接触型のデータ伝送であれば如何なる方式を採用しても構わない。また、回転フレーム１３は、回転部の一例である。
【００２９】
寝台装置３０は、基台３１、寝台駆動装置３２、天板３３及び支持フレーム３４を備える。寝台装置３０は、スキャン対象である患者Ｐを載置可能であり、制御装置１５による制御の下、患者Ｐを移動させる装置である。
【００３０】
基台３１は、支持フレーム３４を鉛直方向（ｙ軸方向）に移動可能に支持する筐体である。寝台駆動装置３２は、患者Ｐが載置された天板３３を天板３３の長軸方向（ｚ軸方向）に移動するモータ又はアクチュエータである。支持フレーム３４の上面に設けられた天板３３は、患者Ｐを載置可能な形状を有する板である。
【００３１】
なお、寝台駆動装置３２は、天板３３に加え、支持フレーム３４を天板３３の長軸方向（ｚ軸方向）に移動させてもよい。また、寝台駆動装置３２は、寝台装置３０の基台３１ごと移動させてもよい。本発明を立位ＣＴに応用する場合、天板３３に相当する患者移動機構を移動する方式であってもよい。また、ヘリカルスキャンや位置決め等のためのスキャノ撮影等、架台装置１０の撮像系と天板３３の位置関係の相対的な変更を伴う撮影を実行する場合は、当該位置関係の相対的な変更は天板３３の駆動によって行われてもよいし、架台装置１０の固定部の走行によって行われてもよく、またそれらの複合によって行われてもよい。
【００３２】
なお、実施形態では、非チルト状態での回転フレーム１３の回転軸又は寝台装置３０の天板３３の長手方向をｚ軸方向、ｚ軸方向に直交し、床面に対し水平である軸方向をｘ軸方向、ｚ軸方向に直交し、床面に対し垂直である軸方向をｙ軸方向とそれぞれ定義するものとする。
【００３３】
コンソール装置４０は、メモリ４１、ディスプレイ４２、入力インターフェース４３、及び処理回路４４を備える。なお、コンソール装置４０は架台装置１０とは別体として説明するが、架台装置１０にコンソール装置４０又はコンソール装置４０の各構成要素の一部が含まれてもよい。また、以下の説明では、コンソール装置４０が単一のコンソールで全ての機能を実行するものとするが、これらの機能は、複数のコンソールが実行してもよい。なお、コンソール装置４０は、医用画像処理装置の一例である。
【００３４】
メモリ４１は、例えば、ＲＡＭ（Random Access Memory）、フラッシュメモリ（Flash Memory）等の半導体メモリ素子、ハードディスク、光ディスク等によって構成される。メモリ４１は、ＵＳＢ（Universal Serial Bus）メモリ及びＤＶＤ（Digital Video Disk）等の可搬型メディアによって構成されてもよい。メモリ４１は、処理回路４４において用いられる各種処理プログラム（アプリケーションプログラムの他、ＯＳ（Operating System）等も含まれる）や、プログラムの実行に必要なデータを記憶する。また、ＯＳに、操作者に対するディスプレイ４２への情報の表示にグラフィックを多用し、基礎的な操作を入力インターフェース４３によって行うことができるＧＵＩ（Graphic User Interface）を含めることもできる。
【００３５】
メモリ４１は、例えば、前処理前の検出データや、前処理後かつ再構成前の生データや、生データに基づく再構成後のＣＴ画像データを記憶する。前処理は、検出データに対する、対数変換処理、オフセット補正処理、チャンネル間の感度補正処理、ビームハードニング処理等のうち少なくとも１つを意味する。また、インターネット等の通信ネットワークを介してＸ線ＣＴ装置１と接続可能なクラウドサーバがＸ線ＣＴ装置１からの保存要求を受けて検出データ、生データ、又はＣＴ画像データを記憶するように構成されてもよい。なお、メモリ４１は、記憶部の一例である。
【００３６】
ディスプレイ４２は、各種の情報を表示する。例えば、ディスプレイ４２は、処理回路４４によって生成されたＣＴ画像データや、ユーザからの各種操作を受け付けるためのＧＵＩ（Graphical User Interface）等を出力する。例えば、ディスプレイ４２は、液晶ディスプレイやＣＲＴ（Cathode Ray Tube）ディスプレイ、ＯＬＥＤ（Organic Light Emitting Diode）ディスプレイ等である。また、ディスプレイ４２は、架台装置１０に設けられてもよい。また、ディスプレイ４２は、デスクトップ型でもよいし、コンソール装置４０本体と無線通信可能なタブレット端末等で構成されることにしてもよい。なお、ディスプレイ４２は、表示部の一例である。
【００３７】
入力インターフェース４３は、技師等の操作者によって操作が可能な入力デバイスと、入力デバイスからの信号を入力する入力回路とを含む。入力デバイスは、マウス、キーボード、トラックボール、スイッチ、ボタン（例えば、後述する「スキャン中断ボタン」）、ジョイスティック、操作面に触れることで入力操作を行うタッチパッド、表示画面とタッチパッドとが一化されたタッチスクリーン、光学センサを用いた非接触入力回路、音声入力回路等によって実現される。入力デバイスが操作者から入力操作を受け付けると、入力回路は当該入力操作に応じた電気信号を生成して処理回路４４に出力する。また、入力インターフェース４３は、架台装置１０に設けられてもよい。また、入力インターフェース４３は、コンソール装置４０本体と無線通信可能なタブレット端末等で構成されてもよい。なお、入力インターフェース４３は、入力部の一例である。
【００３８】
処理回路４４は、Ｘ線ＣＴ装置１の全体の動作を制御する。処理回路４４は、専用又は汎用のＣＰＵ（Central Processing Unit）、ＭＰＵ（Micro Processor Unit）、又はＧＰＵ（Graphics Processing Unit）の他、ＡＳＩＣ、及び、プログラマブル論理デバイス等を意味する。プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）、及び、フィールドプログラマブルゲートアレイ（ＦＰＧＡ：Field Programmable Gate Array）等が挙げられる。
【００３９】
また、処理回路４４は、単一の回路によって構成されてもよいし、複数の独立した処理回路要素の組み合わせによって構成されてもよい。後者の場合、メモリは処理回路要素ごとに個別に設けられてもよいし、単一のメモリが複数の処理回路要素の機能に対応するプログラムを記憶するものであってもよい。
【００４０】
処理回路４４は、メモリ４１に記憶されたプログラムを実行することで、スキャン制御機能４４１、前処理機能４４２、再構成処理機能４４３、表示制御機能４４４、決定機能４４５、及び算出機能４４６を実現する。なお、機能４４１〜４４６の全部又は一部は、コンソール装置４０のプログラムの実行により実現される場合に限定されるものではなく、コンソール装置４０にＡＳＩＣ等の回路として備えられる場合であってもよい。また、機能４４１〜４４６の全部又は一部は、コンソール装置４０のみならず、制御装置１５に備えられる場合もある。
【００４１】
スキャン制御機能４４１は、予め設定されたスキャン条件に従って制御装置１５を介してＸ線管１１及びＸ線検出器１２等を制御することでヘリカルスキャン（「スパイラルスキャン」とも呼ばれる）を実行させ、制御装置１５から複数ビュー分の検出データを収集する機能を含む。例えば、スキャン条件は、照射Ｘ線に関する、管電流ｍＡ、管電圧ｋＶ、Ｘ線強度制御条件（モジュレーション条件）、Ｘ線管１１（又は、回転フレーム１３）の回転速度等や、スキャン計画によって設定されるスキャン範囲（以下、「スキャン計画範囲」という）等を含む。
【００４２】
ここで、ヘリカルスキャンでは、天板３３に載置された患者Ｐをらせん状（ヘリカル）に撮影する。ヘリカルスキャンでは、固定フレームに対して、患者Ｐが載置された天板３３をｚ方向に移動させながらＸ線照射及びデータ収集を行う。又は、ヘリカルスキャンでは、患者Ｐが載置された天板３３に対して、固定フレームをｚ方向に移動させながらＸ線照射及びデータ収集を行う。
【００４３】
また、スキャン制御機能４４１は、ヘリカルスキャンの中断指示を受け付けると、当該ヘリカルスキャンを中断させる機能を含む。例えば、スキャン制御機能４４１は、技師等の操作者によって、入力インターフェース４３の入力デバイスとしてのスキャン中断ボタンが押下されることにより、ヘリカルスキャンの中断指示を受け付ける。なお、スキャン制御機能４４１は、スキャン制御部の一例である。
【００４４】
前処理機能４４２は、スキャン制御機能４４１によって収集された複数ビュー分の検出データに対して前処理を施すことで複数ビュー分の生データを生成する機能を含む。なお、前処理機能４４２は、前処理部の一例である。
【００４５】
再構成処理機能４４３は、前処理機能４４２によって生成された複数ビュー分の生データに基づいて、画像再構成処理によりＣＴ画像データを生成する機能を含む。画像再構成法としては、コンボリューション補正逆投影（ＣＢＰ：Convolution Back Projection）法やフィルタ補正逆投影（ＦＢＰ：Filtered Back Projection）法に代表される解析的手法と、代数的手法とが知られており、それらが利用される。代数的手法は一般に反復法を用いて再構成画像を求めることから、逐次近似再構成（ＩＲ：Iterative Reconstruction）法と呼ばれる。
【００４６】
また、再構成処理機能４４３は、ＣＴ画像データをメモリ４１に記憶させる機能や、ＣＴ画像データをネットワークインターフェース（図示省略）を介して外部装置に送信する機能を含む場合もある。なお、再構成処理機能４４３は、再構成処理部の一例である。
【００４７】
表示制御機能４４４は、再構成処理機能４４３によって生成されたＣＴ画像データをＣＴ画像としてディスプレイ４２に表示させる機能を含む。なお、表示制御機能４４４は、表示制御部の一例である。
【００４８】
決定機能４４５は、ヘリカルスキャンの中断指示を受け付けると、中断指示時刻からの経過時間に応じて、中断後のアクション候補を決定する機能を含む。又は、決定機能４４５は、造影剤が注入された状態で行われるヘリカルスキャンの中断指示を受け付けると、患者Ｐへの造影剤の注入開始時刻からの経過時間に応じて、中断後のアクション候補を決定する機能を含む。又は、決定機能４４５は、ヘリカルスキャンの中断指示を受け付けると、患者用のマイク（図示省略）等による患者Ｐの異常の検知時刻からの経過時間に応じて、中断後のアクション候補を決定する機能を含む。例えば、決定機能４４４は、技師等の操作者によって、入力インターフェース４３の入力デバイスとしてのスキャン中断ボタンが押下されることにより、ヘリカルスキャンの中断指示を受け付ける。なお、決定機能４４５は、決定部の一例である。
【００４９】
算出機能４４６は、決定機能４４５によって決定された各アクション候補に対応するパラメータを算出する機能を含む。例えば、算出機能４４６は、ヘリカルスキャンの中断指示を受け付けると、中断されたヘリカルスキャンの継続スキャンの開始位置を算出する機能を含む。なお、算出機能４４６は、算出部の一例である。
【００５０】
表示制御機能４４４は、決定機能４４５によって決定された複数のアクション候補、又は、算出機能４４６によって算出された継続スキャンの開始位置をディスプレイ４２に表示させる機能を含む。また、表示制御機能４４４は、複数のアクション候補と共に、算出機能４４６によって生成されたパラメータをディスプレイ４２に表示させる機能を含んでもよい。なお、表示制御機能４４４が制御装置１５に備えられる場合、表示制御機能４４４は、回転フレーム１３を支持する固定フレーム（図示省略）上の操作パネルに表示してもよい。
【００５１】
なお、機能４４１〜４４６の詳細については、図３〜図８を用いて後述する。
【００５２】
図３及び図４は、Ｘ線ＣＴ装置１の動作をフローチャートとして示す図である。図３及び図４において、「ＳＴ」に数字を付した符号はフローチャートの各ステップを示す。
【００５３】
まず、図３を用いてＸ線ＣＴ装置１の動作について説明する。
【００５４】
ヘリカルスキャンの実行予定の患者Ｐを天板３３に載置させた状態で、操作者が入力インターフェース４３を操作する。スキャン制御機能４４１は、予め設定されたスキャン条件に従って制御装置１５を介してＸ線管１１及びＸ線検出器１２等を制御することで、ヘリカルスキャンを開始させる（ステップＳＴ１）。スキャン制御機能４４１は、ヘリカルスキャンにより、制御装置１５から複数ビュー分の検出データを収集することができる。なお、ステップＳＴ１によるヘリカルスキャンの実行に先立って行われるプリスキャン（「スキャノ撮影」又は「スカウト撮影」とも呼ばれる）については、説明を省略する。
【００５５】
スキャン制御機能４４１は、技師等の操作者によってのスキャン中断ボタンが押下されたか、つまり、ヘリカルスキャンの中断指示を受け付けたか否かを判断する（ステップＳＴ２）。ステップＳＴ２の判断にてＮＯ、つまり、ヘリカルスキャンの中断指示を受け付けていないと判断される場合、スキャン制御機能４４１は、ステップＳＴ１によって開始されたヘリカルスキャンを終了するか否かを判断する（ステップＳＴ３）。ステップＳＴ４の判断にてＮＯ、つまり、ヘリカルスキャンを終了しないと判断する場合、ステップＳＴ２の判断に戻る。このように、スキャン制御機能４４１は、ヘリカルスキャン中に中断指示を受け付けなければ、ヘリカルスキャンの終了（ステップＳＴ４）まで、ステップＳＴ２，ＳＴ３の判断を繰り返すことになる。
【００５６】
ステップＳＴ３の判断にてＹＥＳ、つまり、ヘリカルスキャンを終了すると判断する場合、スキャン制御機能４４１は、天板３３に載置された患者と同一患者について、次のヘリカルスキャンを行うか否かを判断する（ステップＳＴ５）。ここで、スキャン制御機能４４１は、ステップＳＴ５において、外部装置、例えばＲＩＳ（Radiology Information System）やＭＷＭ（Modality Worklist Management）サーバから送信された、患者に係る検査オーダに基づいて、当該患者に係る次のヘリカルスキャンが存在するか否かを判断する。検査オーダは、患者情報や検査条件等を含む。
【００５７】
ステップＳＴ５の判断にてＹＥＳ、つまり、天板３３に載置された患者と同一患者について、次のヘリカルスキャンを行うと判断された場合、スキャン制御機能４４１は、予め設定されたスキャン条件に従って制御装置１５を介してＸ線管１１及びＸ線検出器１２等を制御することで、ボリュームスキャン及びヘリカルスキャン等のヘリカルスキャンを開始させる（ステップＳＴ１）。
【００５８】
一方で、ステップＳＴ５の判断にてＮＯ、つまり、天板３３に載置された患者と同一患者について、次のヘリカルスキャンを行わないと判断された場合、スキャン制御機能４４１は、天板３３に載置された患者についての全てのヘリカルスキャンが終了されたと判断する。天板３３に載置された患者は、天板３３から降ろす。
【００５９】
以上のように、１患者に係る検査オーダに含まれる１又は複数の全てのヘリカルスキャンにおいて１度も中断指示が受け付けられない場合は、当該患者に対して、１又は複数のヘリカルスキャンが継続して行われる。
【００６０】
前処理機能４４２は、ステップＳＴ１によって開始されたヘリカルスキャン中、又は、ヘリカルスキャンの終了後に、ヘリカルスキャンによって収集された複数ビュー分の検出データに対して前処理を施すことで複数ビュー分の生データを生成する。再構成処理機能４４３は、ステップＳＴ１によって開始されたヘリカルスキャン中、又は、ヘリカルスキャンの終了後に、複数ビュー分の生データに基づいて、画像再構成処理によりＣＴ画像データを生成する。再構成処理機能４４３は、ＣＴ画像データをメモリ４１に記憶させたり、ＣＴ画像データをネットワークインターフェース（図示省略）を介して外部装置に送信したりする。
【００６１】
続いて、１患者に係る検査オーダに含まれる１又は複数のヘリカルスキャンの少なくとも１つにおいて、スキャンの中断指示が受け付けられる場合の動作について説明する。
【００６２】
ステップＳＴ２の判断にてＹＥＳ、つまり、ヘリカルスキャンの中断指示を受け付けたと判断される場合、スキャン制御機能４４１は、図４に進み、当該ヘリカルスキャンを中断させる（ステップＳＴ１１）。決定機能４４５は、ヘリカルスキャンの中断指示を受け付けたと判断される場合、中断後のアクション候補を決定する（ステップＳＴ１２）。
【００６３】
ここで、アクション候補は、再スキャン、継続スキャン、及びスキップのうち少なくとも１つを含む。再スキャンは、ステップＳＴ１１によって中断されたヘリカルスキャンを最初からやり直すことを意味する。継続スキャンは、ステップＳＴ１１によって中断されたヘリカルスキャンを再開することを意味する。スキップとは、ステップＳＴ１１によって中断されたヘリカルスキャンを終了させ、検査オーダに含まれる次のヘリカルスキャンを開始することを意味する。検査オーダに次のヘリカルスキャンが含まれない場合は、アクション候補として、スキップは選択されない。以下、決定機能４４５は、ステップＳＴ１１によって中断後のアクション候補として、再スキャン、継続スキャン、及びスキップが決定される場合について説明する。
【００６４】
算出機能４４６は、ステップＳＴ１２によって決定された各アクション候補に対応するパラメータを算出する（ステップＳＴ１３）。算出機能４４６は、アクション候補としての継続スキャンについて、パラメータとして、再開後のスキャンの開始位置を決めるための逆戻りの距離を算出する。
【００６５】
図５は、逆戻りの距離の算出方法を説明するための図である。
【００６６】
図５は、ｚ軸の正方向がヘリカルスキャンのスキャン方向である場合の、患者モデルＭに対応するスキャン計画範囲Ｒを示す。図５の左側に示すように、ヘリカルスキャンの途中において中断が行われたとする。この場合に、継続スキャンが選択されると、スキャン制御機能４４１は、中断位置（ｚ方向の位置）や、中断位置から操作者が任意に選択した距離の分だけｚ軸の負方向に戻った位置から、ヘリカルスキャンを再開する方法を採ることができる。しかし、操作者にとって、最適な距離を選択することは困難であり、手間である。
【００６７】
そこで、算出機能４４６は、図５の右側に示すように、逆戻りの距離Ｄを算出し、中断位置から逆戻りの距離Ｄだけｚ軸の負方向に戻った位置を継続スキャンの開始位置とする。スキャン制御機能４４１は、算出された継続スキャンの開始位置からヘリカルスキャンを再開する。算出機能４４６は、逆戻りの距離Ｄを、予め設定された時間、距離、及びそれらの組み合わせを基に算出する。
【００６８】
第１に、算出機能４４６は、逆戻りの距離Ｄを、予め設定された時間に基づいて算出する。ヘリカルスキャンを途中で中断する必要がある事象が発生した場合（例えば、表示されたＣＴ画像を参照して操作者が異常を確認した場合や、スキャン中の患者が発声した場合等）に、中断判断に要する時間分を戻す等の場合に特に有効である。例えば、操作者がスキャン中断ボタンを押下した中断２秒前に相当する位置（ｚ方向の位置）からスキャンの再開を行うように設定されていたとする。その場合、算出機能４４６は、ヘリカルピッチ、撮影スライス幅、撮影列数、及び回転速度等を基準にして、中断２秒前の位置を継続スキャンの開始位置として算出し、その開始位置からスキャン計画範囲Ｒの終了位置までのスキャン条件を決定する。なお、算出機能４４６によって算出された、中断２秒前に相当する計算上の位置がスキャン計画範囲Ｒの開始の位置を超えていた場合は、継続スキャンを実行する意味がない。その場合、表示制御機能４４４は、次のステップＳＴ１４において、「継続スキャン」がアクション候補として表示されないように制御してもよい。
【００６９】
第２に、算出機能４４６は、逆戻りの距離Ｄを、予め設定された距離に基づいて算出する。例えば、中断位置から１００［ｍｍ］手前の距離だけ離れた位置からスキャンの再開を行うように設定されていたとする。その場合、算出機能４４６は、リアルタイムで表示されている画像位置に相当するｚ方向の位置から１００［ｍｍ］手前のｚ方向の位置を継続スキャンの開始位置として算出し、その開始位置からスキャン計画範囲Ｒの終了位置までのスキャン条件を決定する。なお、算出機能４４６によって算出された、中断１００［ｍｍ］手前の位置がスキャン計画範囲Ｒの開始の位置を超えていた場合は、継続スキャンを実行する意味がない。その場合、表示制御機能４４４は、次のステップＳＴ１４において、「継続スキャン」がアクション候補として表示されないように制御してもよい。
【００７０】
第３に、算出機能４４６は、逆戻りの距離Ｄを、予め設定された時間及び距離の組み合わせに基づいて算出してもよい。中断位置からの距離を基準として逆戻りの距離Ｄが算出された場合に、ヘリカルピッチ、撮影列数、及び回転速度等によっては、中断判断までに要する時間よりもきわめて短い場合が有り得るからである。そのような場合には、算出機能４４６は、距離基準を、時間基準の計算方法に切り替える。一方で、撮影速度が遅い等の場合、秒数ベースだとカバー範囲が少なくなる場合があるので、算出機能４４６は、逆戻りの距離Ｄを基準として算出することができる。また、算出機能４４６は、時間基準で算出された継続スキャンの開始位置と、距離基準で算出された継続スキャンの開始位置とを操作者に提示して、操作者にどちらかを選択させてもよい。
【００７１】
図４の説明に戻って、表示制御機能４４４は、ステップＳＴ１２によって決定されたアクション候補としての「再スキャン」、「継続スキャン」、及び「スキップ」をディスプレイ４２に表示させると共に、各アクション候補のパラメータをディスプレイ４２に表示させる（ステップＳＴ１４）。
【００７２】
図６は、アクション候補の表示画面の例を示す図である。
【００７３】
図６に示すように、表示画面は、ヘリカルスキャンの中断操作により、ヘリカルスキャン中にスキャンが中断されたことを示す情報と、中断が解かれた後のアクション候補としての「再スキャン」、「継続スキャン」、及び「スキップ」とを含む。また、表示画面は、各アクション候補に対応するパラメータと、各アクション候補の「選択ボタン」とを含む。つまり、表示制御機能４４４は、ディスプレイ４２に、複数のアクション候補「再スキャン」、「継続スキャン」、及び「スキップ」のいずれかを選択可能なように表示させる。
【００７４】
アクション候補「再スキャン」のパラメータの一例は、予め設定されたスキャン計画範囲における、スキャン開始位置から中断位置までのスキャン実行範囲（実際に収集されたデータ範囲）である。当該スキャン実行範囲は、図６に示す表示画面の左側において、患者モデル上に予め設定されるスキャン計画範囲（破線）の一部に疎のハッチング領域として示される。
【００７５】
ここで、アクション候補「再スキャン」は、決定機能４４５によって中断指示時刻、又は、患者Ｐへの造影剤の注入開始時刻からの経過時間が所定の時間以内であると判断された場合に、表示制御機能４４４は、選択肢として表示されないようにすることもできる。造影のヘリカルスキャンが中断された場合には、経過時間が短すぎると、被曝の点からも、「継続スキャン」の方が適していると考えられるからである。一方で、表示制御機能４４４は、経過時間が所定の時間以内であると判断された場合に、アクション候補「継続スキャン」を強調表示させてもよい。
【００７６】
アクション候補「継続スキャン」のパラメータの一例は、図５を用いて説明したように、逆戻りの距離Ｄ（図５に図示）である。逆戻りの距離Ｄは、図６に示す表示画面の中央において、患者モデル上に予め設定されるスキャン計画範囲（破線）の一部に密のハッチング領域として示される。
【００７７】
ここで、アクション候補「継続スキャン」は、決定機能４４５によって中断指示時刻、又は、患者Ｐへの造影剤の注入開始時刻からの経過時間が所定の時間を超えると判断された場合に、表示制御機能４４４は、選択肢として表示されないようにすることもできる。造影のヘリカルスキャンが中断された場合には、経過時間が長すぎると、造影剤の染影がなくなってしまうからである。また、アクション候補「継続スキャン」は、患者用のマイク（図示省略）等による患者Ｐの異常の検知時刻からの経過時間に応じて、選択肢として表示されないようにすることもできる。「継続スキャン」より「再スキャン」の方が望ましい場合が多いからである。一方で、表示制御機能４４４は、経過時間が所定の時間を超えると判断された場合に、アクション候補「再スキャン」を強調表示させてもよい。
【００７８】
アクション候補「スキップ」のパラメータの一例は、ヘリカルスキャンが中断時刻からの経過時間である。当該経過時間は、図６に示す表示画面の右側において、文字情報「１０秒経過」として示される。なお、アクション候補「スキップ」のパラメータは、造影剤の注入開始時刻からの経過時間であってもよい。
【００７９】
操作者は、アクション候補及びパラメータを参照しながら、当該患者及び検査目的に応じて次の適切なアクションを選択し、画面上のボタン操作で当該アクションを簡易に選択することができる。また、経験が不足している操作者は、逆戻りの距離（図５に図示する符号「Ｄ」相当）を手動設定できずに以前では再スキャンが選択されていた場合であっても、逆戻りの距離Ｄが自動的に算出されて提示されることで、継続スキャンを選択し易くなる。それにより、患者の被曝量の低減も実現できる。
【００８０】
図４の説明に戻って、スキャン制御機能４４４は、図６に示す表示画面上で、アクション候補の中から任意のアクションの選択を受け付けたか否かを判断する（ステップＳＴ１５）。ステップＳＴ５の判断にてＮＯ、つまり、アクション候補の中から任意のアクションの選択を受け付けていないと判断された場合、決定機能４４５は、再計算が必要なパラメータについて、パラメータを算出する（ステップＳＴ１３）。例えば、決定機能４４５は、アクション候補「スキップ」について、ヘリカルスキャンの中断からの経過時間を再計算する。つまり、表示制御機能４４４は、経過時間をディスプレイ４２に逐次（リアルタイム）表示させることができる。
【００８１】
図７は、アクション候補の表示画面の例を示す図であって、ヘリカルスキャンの中断からの経過時間の変化を示す図である。
【００８２】
図７は、図６に示す表示画面から２０秒経過後の表示画面を示す。図７に示すように、図６に示す表示画面から２０秒経過後において、アクション候補「スキップ」のパラメータが、図６の「１０秒経過」から「３０秒経過」に変化している。
【００８３】
Ｘ線ＣＴ装置の比較例によれば、スキャン中断ボタンが押下されると、スキャン計画範囲のうち再構成が可能な範囲までスキャンが実行されたと判断されればヘリカルスキャンの中断を実行し、次のヘリカルスキャンの準備に入る。しかし、ヘリカルスキャンの中断は想定範囲のスキャンが完了した場合だけでなく、患者の周辺の状況が変わったことによる安全確保やタイミング調整の目的等の場合も多い。そのような場合、操作者は、再スキャンや継続スキャンの実行が可能であるか（再構成に必要なデータが収集できているか）否かについて分からないし、可能である場合にも、再度手動でスキャン範囲等を再設定する必要があるため、大幅なタイムロスとなってしまう。加えて、造影にてヘリカルスキャンを実行する場合には、造影剤が流れてしまうため、ヘリカルスキャンの中断時刻から刻々と進む経過時間の時々で変化する造影状況に合ったアクションを選択できないと、適切な造影効果が得られないという問題がある。
【００８４】
図６及び図７に示すような表示画面が表示されると、操作者は、アクション候補やパラメータの表示により、経過時間に基づいて、実行が可能であるアクション候補を容易に把握することができる。特に、操作者は、造影のヘリカルスキャンにおいて、刻々と変化するスキャンの中断時刻からの経過時間を視認することができる。
【００８５】
図４の説明に戻って、ステップＳＴ５の判断にてＹＥＳ、つまり、アクション候補の中から任意のアクションの選択を受け付けたと判断された場合、スキャン制御機能４４１は、受け付けられたアクションが、「再スキャン」又は「継続スキャン」であるか否かを判断する（ステップＳＴ１７）。ステップＳＴ１７の判断にてＹＥＳ、つまり、受け付けられたアクションが、「再スキャン」又は「継続スキャン」であると判断された場合、スキャン制御機能４４１は、中断された当該ヘリカルスキャンを開始し（ステップＳＴ１８）、図３に示すステップＳＴ２に戻る。
【００８６】
具体的には、スキャン制御機能４４１は、「再スキャン」の場合は、予め設定されたスキャン計画範囲Ｒ（図５に図示）の先頭位置からヘリカルスキャンを行うべく、制御回路１５を介して天板１２をｚ軸の正方向にスライドさせる。そして、スキャン制御機能４４１は、スキャン計画範囲Ｒの先頭位置をＸ線照射の中心位置に合わせ、当該ヘリカルスキャンをやり直す（ステップＳＴ１８）。
【００８７】
一方、スキャン制御機能４４１は、「継続スキャン」の場合は、ヘリカルスキャンの中断位置からステップＳＴ１３によって決定された逆戻りの距離Ｄの分だけ戻った位置からヘリカルスキャンを行うべく、制御回路１５を介して天板１２をｚ軸の正方向にスライドさせる。そして、スキャン制御機能４４１は、ヘリカルスキャンの中断位置からステップＳＴ１３によって決定された逆戻りの距離Ｄの分だけ戻った位置をＸ線照射の中心位置に合わせ、当該ヘリカルスキャンを再開する（ステップＳＴ１８）。
【００８８】
なお、ステップＳＴ１８から図３に示すステップＳＴ２に戻り、同一スキャンにおいて再びスキャンが中断される場合もある。つまり、ヘリカルスキャンの中断は、スキャンがスキャン計画範囲の終了位置に到達するまで、何度でも実施することができる。その場合、算出機能４４６は、「継続スキャン」について、２回目以降の中断後のスキャンの開始位置を、前回の中断後のスキャンの開始位置として算出してもよいし、新たに逆戻り距離Ｄから算出してもよいし、それらを切り替えるようにしてもよい。
【００８９】
ステップＳＴ１７の判断にてＮＯ、つまり、受け付けられたアクションが、「スキップ」であると判断された場合、図３に示すステップＳＴ５に戻る。
【００９０】
ここで、図４に示すステップＳＴ１７の判断でＮＯと判断された後、図３に示すステップＳＴ５の判断でＹＥＳと判断され、ステップＳＴ１でヘリカルスキャンが開始される場合を考える。つまり、ある患者に係る検査オーダに複数、例えば、２個のヘリカルスキャンが含まれる場合に、１個目のヘリカルスキャン（例えば、非造影）の途中でスキャンが中断され、アクション候補「スキップ」が決定された後で（ステップＳＴ１７）、同一患者について第２のヘリカルスキャン（例えば、造影）を実行する場合を考える。
【００９１】
第１に、算出機能４４６は、各ヘリカルスキャンのスキャン実行範囲を個別に算出する。つまり、算出機能４４６は、非造影に係るヘリカルスキャンではスキャン計画範囲の途中でスキャンが中断されているが、続く造影に係るヘリカルスキャンについては、スキャンの中断指示がない限り、スキャン計画範囲の全体をスキャン実行範囲として算出する。
【００９２】
第２に、算出機能４４６は、各ヘリカルスキャンのスキャン実行範囲を一致させる。つまり、算出機能４４６は、非造影に係るヘリカルスキャンでスキャン計画範囲の途中でスキャンが中断されると、続く造影に係るヘリカルスキャンについても、非造影で実行されたスキャン実行範囲のみをスキャン実行範囲とする。
【００９３】
なお、第２の場合、算出機能４４６は、入力インターフェース４３を介した操作者の選択指示に従って、２回目以降のヘリカルスキャンのスキャン実行範囲を、以前のヘリカルスキャンで実行されたスキャン実行範囲に合わせた範囲としてもよい。
【００９４】
また、継続スキャンが実行された場合の再構成処理について考える。再構成処理機能４４３は、ヘリカルスキャンの中断前に収集された生データに基づいて再構成処理を行って第１のＣＴ画像データを生成すると共に、ヘリカルスキャンの継続スキャンによって収集された生データに基づいて再構成処理を行って第２のＣＴ画像データを生成する。そして、再構成処理機能４４３は、第１及び第２のＣＴ画像データの重複部分（図５に図示する符号「Ｄ」の範囲）を除いたデータを生成する。
【００９５】
以上のように、Ｘ線ＣＴ装置によれば、ヘリカルスキャンの中断指示時刻又は造影剤の注入開始時刻からの経過時間に応じて、中断後の適切な複数のアクション候補を選択肢として操作者に提示することができる。これにより、操作者は、中断後に可能な次の複数のアクション候補を一覧で参照することができると共に、その中から適切な次のアクションを簡易に選択することができる。
【００９６】
２．第１の変形例
図６（又は図７）に示す表示画面は、ヘリカルスキャンの中断時刻からの経過時間に応じて推奨されるアクション候補を表示してもよい。例えば、算出機能４４６が、ヘリカルスキャンの中断時刻から現在時刻までの経過時間が、予め設定された時間以内であると判断した場合、表示制御機能４４４は、「継続スキャン」を推奨するような表示を行う。ヘリカルスキャンの中断時刻からの経過時間が設定時間以内であれば、取得されるＣＴ画像間のズレも小さいことが予想されるし、特に造影スキャン等で造影追い越し等の場合においては条件の再設定をすることなく、１回の造影できれいに撮影することが予想されるからである。
【００９７】
一方で、算出機能４４６が、ヘリカルスキャンの中断時刻から現在時刻までの経過時間が、予め設定された時間を超えたと判断した場合、「再スキャン」を推奨するような表示を行う。ヘリカルスキャンの中断時刻からの経過時間が設定時間を超えた場合、時相差や患者の体動等に起因するＣＴ画像間のズレが大きくなることが懸念されるため、再スキャンが望ましいと思われる。
【００９８】
なお、推奨表示の一例としては、図６（又は図７）に示す表示画面において、「選択ボタン」を強調表示してもよいし、経過時間を強調表示してもよいし、「推奨」等の文字情報を表示してもよいし、アイコンや図で表示してもよい。また、スピーカ（図示省略）から推奨するアクション候補を示す音声を発声してもよい。
【００９９】
以上のように、Ｘ線ＣＴ装置１の第１の変形例によれば、上述した効果に加え、経験の差によらず、操作者は、ヘリカルスキャンの中断指示時刻又は造影剤の注入開始時刻からの経過時間に応じて推奨される次のアクションを簡易に参照することができる。
【０１００】
３．第２の変形例
ヘリカルスキャンのスキャン計画範囲が、複数の範囲要素に分割されている場合がある。その場合の、中断されたヘリカルスキャンに係るアクション候補について考える。
【０１０１】
図８は、複数の範囲要素を含むスキャン計画範囲におけるアクション候補を説明するための図である。
【０１０２】
図８の左側に示すように、スキャン計画範囲Ｒは、ｚ方向に４個の要素を備える。４個の要素のうち、２個目の要素のスキャン途中でスキャンが中断されたとする。ここで、表示画面上に表示される複数のアクション候補の中から「スキップ」が選択されると、右側上段に示すように、算出機能４４６は、３個目の要素の先頭位置を次のスキャンの開始位置として算出する。スキャン制御機能４４１は、その開始位置からスキャンを開始する。
【０１０３】
一方で、表示画面上に表示される複数のアクション候補の中から「継続スキャン」が選択されると、右側下段に示すように、算出機能４４６は、１個前の要素の先頭位置をスキャン開始位置として算出する。スキャン制御機能４４１は、その開始位置から継続スキャンを開始する。
【０１０４】
なお、スキャン制御機能４４１は、スキャン制御部の一例である。前処理機能４４２は、前処理部の一例である。再構成処理機能４４３は、再構成処理部の一例である。表示制御機能４４４は、表示制御部の一例である。決定機能４４５は、決定部の一例である。算出機能４４６は、算出部の一例である。
【０１０５】
以上説明した少なくとも１つの実施形態によれば、ヘリカルスキャン中断後の適切なアクション候補を操作者に提示することができる。
【０１０６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０７】
１  Ｘ線ＣＴ装置
１１  Ｘ線源（Ｘ線管）
１２  Ｘ線検出器
４０  コンソール装置（医用画像処理装置）
４４  処理回路
４４１  スキャン制御機能
４４２  前処理機能
４４３  再構成処理機能
４４４  表示制御機能
４４５  決定機能
４４６  算出機能
【図１】
2020039382.tif 000003
【図２】
2020039382.tif 000004
【図３】
2020039382.tif 000005
【図４】
2020039382.tif 000006
【図５】
2020039382.tif 000007
【図６】
2020039382.tif 000008
【図７】
2020039382.tif 000009
【図８】
2020039382.tif 000010